(57)【特許請求の範囲】
【請求項１】
マルチキャスト／ブロードキャスト・オフロード・セッション（ＭＢＯＳ）ゲートウェイに対してオフロード・セッションを確立して、ユーザ機器が、第１のアクセス・ポイントから第２のアクセス・ポイントへとハンドオフすることに応じて、前記ユーザ機器に対してマルチキャスト／ブロードキャスト・ストリームを提供するＭＢＯＳアンカー・ロジックを備え、前記ＭＢＯＳアンカー・ロジックは、前記第１のアクセス・ポイントを経由して前記ユーザ機器に対して前記マルチキャスト／ブロードキャスト・ストリームを提供することと同時に前記オフロード・セッションを確立するように構成されている、装置。
【請求項２】
前記ＭＢＯＳアンカー・ロジックは、ハンドオフ・トリガに応じて前記オフロード・セッションを確立し、前記第１のアクセス・ポイントを経由した前記ユーザ機器に対する前記マルチキャスト／ブロードキャスト・ストリームの提供を中断するのに先立って前記オフロード・セッションの確立を完了するように構成されている、請求項１に記載の装置。
【請求項３】
前記ＭＢＯＳアンカー・ロジックは、前記マルチキャスト／ブロードキャスト・ストリームを複製するように構成されており、前記オフロード・セッションを使用して、前記第１のアクセス・ポイントに対する前記マルチキャスト／ブロードキャスト・ストリームの１つのコピーと、前記ＭＢＯＳゲートウェイに対する前記マルチキャスト／ブロードキャスト・ストリームの別のコピーとを同時に提供するように構成されている、請求項１に記載の装置。
【請求項４】
前記ＭＢＯＳアンカー・ロジックは、前記マルチキャスト／ブロードキャスト・ストリームの前記コピーを時間同期させるように構成されており、前記オフロード・セッションに関連するトンネルを経由した送信のために前記ＭＢＯＳゲートウェイに対して、前記マルチキャスト／ブロードキャスト・ストリームの前記コピーのうちの１つからのコンテンツを含むパケットをアドレス指定するように構成されている、請求項３に記載の装置。
【請求項５】
前記ＭＢＯＳアンカー・ロジックは、他のユーザ機器が、前記オフロード・セッションを経由して前記マルチキャスト／ブロードキャスト・ストリームを同時に受信していない場合に、前記ユーザ機器が、前記第２のアクセス・ポイントからハンドオフすることに応じて前記オフロード・セッションを破棄するように構成されている、請求項１に記載の装置。
【請求項６】
ユーザ機器のためにマルチキャスト／ブロードキャスト・コンテンツを受信するために、ＭＢＯＳアンカー・ロジックに対して、前記ユーザ機器が、第１のアクセス・ポイントから第２のアクセス・ポイントへとハンドオフすることに応じてオフロード・セッションを確立し、
前記ユーザ機器に対して前記マルチキャスト／ブロードキャスト・コンテンツを提供する
マルチキャスト／ブロードキャスト・オフロード・セッション（ＭＢＯＳ）ゲートウェイ・ロジック
を備える装置。
【請求項７】
前記ＭＢＯＳゲートウェイ・ロジックは、前記第１のアクセス・ポイントを経由した前記ユーザ機器に対する前記マルチキャスト／ブロードキャスト・ストリームの提供を中断するのに先立って、ハンドオフ・トリガに応じて前記オフロード・セッションを確立し、前記オフロード・セッションの確立を完了するように構成されている、請求項６に記載の装置。
【請求項８】
前記ＭＢＯＳゲートウェイ・ロジックは、前記オフロード・セッションを経由して前記マルチキャスト／ブロードキャスト・コンテンツを含むパケットを受信し、また前記オフロード・セッションを経由して受信される前記パケットは、前記ＭＢＯＳゲートウェイ・ロジックに対してアドレス指定され、前記ＭＢＯＳゲートウェイ・ロジックは、前記第２のアクセス・ポイントと、前記ユーザ機器のうちの少なくとも一方においてで実行される、請求項６に記載の装置。
【請求項９】
前記ＭＢＯＳゲートウェイ・ロジックは、他のユーザ機器が、前記オフロード・セッションを経由して前記マルチキャスト／ブロードキャスト・ストリームを同時に受信していない場合に、前記ユーザ機器が、前記第２のアクセス・ポイントからハンドオフすることに応じて前記オフロード・セッションを破棄するように構成されている、請求項６に記載の装置。
【請求項１０】
マルチキャスト／ブロードキャスト・オフロード・セッション（ＭＢＯＳ）管理ロジックを備える装置であって、前記ＭＢＯＳ管理ロジックは、ユーザ機器が第１のアクセス・ポイントから第２のアクセス・ポイントへとハンドオフすることに応じて前記ユーザ機器に対してマルチキャスト／ブロードキャスト・ストリームを提供するために、ＭＢＯＳゲートウェイ・ロジックによって終了されるオフロード・セッションの確立をトリガし、前記トリガは、前記ユーザ機器が、前記第１のアクセス・ポイントを経由して前記マルチキャスト／ブロードキャスト・ストリームを受信することと同時になされる、装置。
【請求項１１】
前記ＭＢＯＳゲートウェイ・ロジックを備え、前記ＭＢＯＳゲートウェイ・ロジックは、前記オフロード・セッションを経由して前記マルチキャスト／ブロードキャスト・ストリームからのコンテンツを含むパケットを受信し、前記オフロード・セッションを経由して受信される前記パケットは、前記ＭＢＯＳゲートウェイ・ロジックに対してアドレス指定される、請求項１０に記載の装置。
【請求項１２】
アプリケーション・レイヤ・ロジックを備え、前記ＭＢＯＳ管理ロジックは、前記オフロード・セッションの確立をトリガすることに応じて、前記第１のアクセス・ポイントと、前記第２のアクセス・ポイントとを経由して前記マルチキャスト／ブロードキャスト・ストリームのコピーを同時に受信し、前記ＭＢＯＳ管理ロジックは、前記アプリケーション・レイヤ・ロジックに対して前記コピーのうちの１つを提供する、請求項１０に記載の装置。
【発明の詳細な説明】
【技術分野】
【０００１】
関連出願の相互参照
本出願は、２０１２年６月２９日に出願した米国仮特許出願第６１／６６６，０３８号の優先権を主張するものである。本出願はまた、その全体が、参照により本明細書に組み込まれており、また２０１２年６月２９に出願した米国仮特許出願第６１／６６６，１２２号の優先権を主張する、２０１２年１２月２０日に出願した米国特許出願第１３／７７２，０７６号にも関連している。
【０００２】
本開示は、一般に通信システムに関し、またより詳細には、ワイヤレス通信システムに関する。
【背景技術】
【０００３】
ワイヤレス通信システムは、基地局などのアクセス・ポイント（ａｃｃｅｓｓ  ｐｏｉｎｔｓ）のネットワークを使用して、ワイヤレス通信のために使用可能にされている、モバイル・ユニット、スマートフォン、他のデバイスなどの端末にアクセスするワイヤレス接続性を提供する。ワイヤレス通信システムのカバレッジ・エリアは、一般的に、セルまたはセクタと従来から称されているいくつかの地理的エリアに分割される。ワイヤレス・ネットワークの中の各セルのカバレッジ・エリアは、セルに対してカバレッジを提供するアクセス・ポイントによって送信される無線信号の伝搬損失によって制限される。それゆえに、各セルのカバレッジ・エリアは、アクセス・ポイントのロケーションおよび送信電力、ならびにセルの地形と任意の干渉する物体のロケーションとを含む他のファクタによって決定される。例えば、セルのカバレッジ・エリアは、建物または山が、アクセス・ポイントの近くに存在する場合に、低減されることもある。セルの境界は、厳密に規定されておらず、長期間または短期間の無線周波数変化に起因して、時間とともに変化する可能性がある。したがって、カバレッジ・エリアは、複数のアクセス・ポイントが、オーバーラップした地域に対してカバレッジを提供することができるように、オーバーラップする可能性があるが、それらのオーバーラップした地域の内部で提供される信号の強度が、異なるアクセス・ポイントごとに異なる可能性がある。例えば、いくつかのワイヤレス通信システムの中のセルの境界は、オーバーラップするように設計されて、複数の基地局からのダイバーシティ受信において利得を生成することができるようにする。これらのワイヤレス通信システムは、単一周波数ネットワーク（ＳＦＮ：ｓｉｎｇｌｅ  ｆｒｅｑｕｅｎｃｙ  ｎｅｔｗｏｒｋｓ）と称されることもある。
【０００４】
ロング・ターム・エボリューション（ＬＴＥ：Ｌｏｎｇ  Ｔｅｒｍ  Ｅｖｏｌｕｔｉｏｎ、ＬＴＥ−進化型）などのワイヤレス通信規格は、マルチメディア・ブロードキャスト・マルチキャスト・サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）やエンハンスト・マルチメディア・ブロードキャスト・マルチキャスト・サービス（ｅＭＢＭＳ：ｅｎｈａｎｃｅｄ  ｍｕｌｔｉｍｅｄｉａ  ｂｒｏａｄｃａｓｔ  ｍｕｌｔｉｃａｓｔ  ｓｅｒｖｉｃｅ）など、ブロードキャスティング・サービスまたはマルチキャスティング・サービスをサポートする。ＭＢＭＳサービスは、１人または複数人のユーザによって受信され得るチャネルのエア・インターフェースを介して基地局からデータをブロードキャスト、またはマルチキャストする。ｅＭＢＭＳは、ｅＭＢＭＳサービスが、ユーザ機器に対してマルチメディア情報を搬送することを可能にするアーキテクチャや物理レイヤ機能強化など、追加の機能を提供するＭＢＭＳの機能強化されたバージョンである。用語「ＭＢＭＳ」を使用するが、コンテキストに応じてＭＢＭＳまたはｅＭＢＭＳのいずれかを意味することができる。一般的に、ユーザは、それらのユーザが、ＭＢＭＳサービスを使用して次いで受信することができる特定のプログラムに加入する。ひとたびユーザが、あるプログラムに加入し、そのプログラムを受信することを開始した後に、ユーザは、たとえユーザが、建物、車、バスなどの中へと移動し、またはそれらから外に移動する可能性があるとしても、中断なしにプログラムを受信すると思われる。しかしながら、ユーザと、基地局との間のどのような障害物も、ＭＢＭＳ信号の信号強度を低減させるチャネル損失を引き起こす可能性がある。例えば、建物の侵入損失は、一般的におよそ１１〜２０  ｄＢであり、また車の侵入損失は、一般的におよそ７  ｄＢである。これらのチャネル損失は、屋内侵入損失と称されることもある。
【発明の概要】
【０００５】
本開示は、添付の図面を参照することにより、よりよく理解され、またその非常に多数の特徴と利点とは、当業者に対して明らかにされる可能性がある。異なる図面における同じ参照シンボルの使用は、類似した項目、または同一の項目を示している。
【図面の簡単な説明】
【０００６】
【図１】いくつかの実施形態によるワイヤレス通信システムのブロック図である。
【図２】いくつかの実施形態による、シームレスなメイク・ビフォア・ブレーク・セッション転送をサポートするワイヤレス通信システムのブロック図である。
【図３】いくつかの実施形態に従ってメイク・ビフォア・ブレーク遷移中にコンテンツ・プロバイダによって提供されるマルチキャスト／ブロードキャスト・ストリームからパケットを搬送するための同時のマルチキャスト／ブロードキャスト・セッションおよびオフロード・セッションを示すブロック図である。
【図４】いくつかの実施形態による、シームレスなメイク・ビフォア・ブレーク・セッション転送をサポートするワイヤレス通信システムのブロック図である。
【図５】いくつかの実施形態による、シームレスなメイク・ビフォア・ブレーク・セッション転送をサポートするワイヤレス通信システムのブロック図である。
【図６】いくつかの実施形態による、オフロード・セッションに対するマルチキャスト／ブロードキャスト・セッションのシームレスなメイク・ビフォア・ブレーク転送のための方法の流れ図である。
【図７】いくつかの実施形態によるワイヤレス通信システムにおけるユーザ機器の中のＭＢＯＳ管理ロジックと、ＭＢＯＳアンカー・ロジックとの間の通信を終了させるための方法の流れ図である。
【発明を実施するための形態】
【０００７】
本明細書において考察されるように、ユーザ機器と、基地局などのアクセス・ポイントとの間のどのような障害物は、ＭＢＭＳ信号の信号強度を低下させるチャネル損失を引き起こす可能性がある。チャネル損失は、ワイヤレス通信システムにおいて、基地局のカバレッジ・エリアを縮小させる。与えられた伝送電力では、カバレッジ・エリアの近似的な半径は、式、すなわち
Ｒ＝定数×１０−損失（ｄＢ）
によって損失比（ｄＢ）に関係づけられることもある。この式の中の定数は、経験的に、理論的に、実験的に、または他の技法を使用して決定されることもある。一様なカバレッジを提供する個別の基地局によってカバーされるエリア（ＡＢＳ）は、近似的に、Ｒ２に比例しており、またそのようにして、エリア（ＡＣＯＶ）に対するカバレッジを提供するために必要とされる基地局の数は、近似的に
【数１】
0006027238.tif 000002
によって与えられる。エリア（ＡＣＯＶ）をカバーするために必要とされる基地局の数は、それゆえに、期待されたチャネル損失（ｄＢ）が増大するにつれて、指数関数的に増大する。建物への侵入または車への侵入によって生成される大きなチャネル損失は、それゆえに、ＭＢＭＳサービスについてのユビキタス・カバレッジを提供するために必要とされるリンク割当額（例えば、基地局の数、または個別の基地局の伝送電力）をかなり増大させる。その結果として、屋内侵入損失について補償するために、基地局の送信電力を単に増大させること、または基地局の数を増大させることは、サービス・プロバイダについての実際に役に立たないコスト増大をもたらすことになる。
【０００８】
屋内侵入損失に対処することに対する１つのアプローチは、建物、自動車、バス、列車、または他の障害物の内部のユーザ機器を用いて、ブロードキャスト・サービスまたはマルチキャスト・サービスを確立することができる屋内ゲートウェイを提供することである。既存のブロードキャスト・セッションまたはマルチキャスト・セッションの内部のユーザ機器は、次いで、屋内ゲートウェイに対してオフロードされる可能性があり、例えば、既存のマルチキャスト／ブロードキャスト・セッションは、基地局から屋内ゲートウェイへと転送される可能性がある。屋内ゲートウェイの内部のマルチキャスト／ブロードキャスト・セッションを確立するための技法についてのいくつかの実施形態は、その全体が、参照により本明細書に組み込まれている出願第１３／７７２０７６号の中で説明される。
【０００９】
しかしながら、従来のネットワーク側機器は、基地局から屋内ゲートウェイなどの他のワイヤレス・アクセス・ポイントへとマルチキャスト・トラフィックをオフロードさせるためにあまり適してはいない。例えば、第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、Ｗｉ−Ｆｉアクセス・ポイント、フェムト・セル、または選択されたインターネット・プロトコル（ＩＰ：Ｉｎｔｅｒｎｅｔ  Ｐｒｏｔｏｃｏｌ）トラフィック・オフロード（ＳＩＰＴＯ：ｓｅｌｅｃｔｅｄ  ＩＰ  ｔｒａｆｆｉｃ  ｏｆｆｌｏａｄ）、ローカルＩＰアクセス（ＬＩＰＡ：ｌｏｃａｌ  ＩＰ  ａｃｃｅｓｓ）、ＩＰフロー・モビリティ（ＩＦＯＭ：ＩＰ  ｆｌｏｗ  ｍｏｂｉｌｉｔｙ）、マルチ・アクセス・パケット・データ・ノード（ＰＤＮ：ｐａｃｋｅｔ  ｄａｔａ  ｎｏｄｅ）接続性（ＭＡＰＣＯＮ：ｍｕｌｔｉ−ａｃｃｅｓｓ  ＰＤＮ  ｃｏｎｎｅｃｔｉｖｉｔｙ）などのホームｅノードＢ（ｈｏｍｅ  ｅＮｏｄｅＢｓ）に対するトラフィックをオフロードする方法を規格化している。これらの方法は、ユニキャスト・トラフィックをサポートするように設計され、またシームレスなマルチキャスト／ブロードキャスト・オフローディングを提供してはいない。とりわけ、従来のシステムは、マルチキャスト・ストリームを受信する他のユーザの存在を明らかにしておらず、またシームレスなオフローディングのために必要とされるマルチキャスト・フローの複写または複製を提供してはいない。別の例では、従来のＩＰテレビジョン（ＩＰＴＶ：ＩＰ  ｔｅｌｅｖｉｓｉｏｎ）は、有線のブロードバンド接続の上でＩＰマルチキャストを提供するように設計され、また屋外のマルチキャスト／ブロードキャスト・セッションと、有線のバックホール・アクセスを有する屋内のセッションとの間のシームレスなセッション遷移のためには適していない。とりわけ、ゲートウェイは、特に異なる侵入レベルを伴う屋内環境と屋外環境との間で遷移するときに、ＩＰＴＶマルチキャスト・セッションに動的に加わるが、異なるワイヤレス媒体を通してスマートフォンまたはタブレットのような取り付けられたエンド・ユーザ・デバイスのシームレスなモビリティをサポートしていない可能性がある。
【００１０】
少なくとも部分的に従来のワイヤレス通信システムにおけるこれらの欠点に対処するために、図１〜７は、マルチキャスト／ブロードキャスト・オフロード・セッション（ＭＢＯＳ：ｍｕｌｔｉｃａｓｔ／ｂｒｏａｄｃａｓｔ  ｏｆｆｌｏａｄ  ｓｅｓｓｉｏｎ）管理機能と、ＭＢＯＳアンカー機能と、ＭＢＯＳゲートウェイ機能とを含むワイヤレス通信システムの実施形態を説明するものである。ＭＢＯＳアンカーは、ワイヤレス・サービス・プロバイダのネットワークの内部で、または外側で実施される可能性があり、またＭＢＯＳアンカーを使用して、障害物を置かれたエリアの内部のアクセス・ポイントと、障害物を置かれたエリアの外側のアクセス・ポイントとの間のメイク・ビフォア・ブレーク・セッション転送を制御する。メイク・ビフォア・ブレーク・セッション転送中に、ユーザ機器は、障害物を置かれたエリアの中のアクセス・ポイントとのオフロード・セッションと、障害物を置かれたエリアの外側のアクセス・ポイントとのマルチキャスト／ブロードキャスト・セッションとを同時に保持する。オフロード・セッションを使用して、例えば、パケットをユニキャストすること、またはトンネルすることにより、ブロードバンド接続の上で障害物を置かれたエリアの中でアクセス・ポイントに対してマルチキャスト／ブロードキャスト・パケットのコピーを搬送する。
【００１１】
ＭＢＯＳアンカーは、ユーザ機器に対する最終的な伝送のために異なるアクセス・ポイントに向かって送信される、メイク・ビフォア・ブレーク・セッション転送中のマルチキャスト／ブロードキャスト・フローと、時間同期複製フローとの中でコンテンツを複製することができる。例えば、マルチキャスト／ブロードキャスト・フローからのパケットの１つのコピーは、マルチキャスト／ブロードキャスト・セッションを使用して送信される可能性があり、またパケットの別のコピーは、オフロード・セッションを使用して送信される可能性がある。ＭＢＯＳゲートウェイを使用して、障害物を置かれたエリアの中のアクセス・ポイントに関連するユーザ機器に向かうことになっているパケットを搬送するオフロード・セッションを終了させる。ＭＢＯＳマネ−ジャは、マルチキャスト／ブロードキャスト・ストリームの中のパケットと、オフロード・セッションの中のパケットとの複製された、時間同期されたコピーを受信し、またマルチキャスト／ブロードキャスト・ストリームとオフロード・セッションとの間の遷移を管理するようにユーザ機器の中で実施される。例えば、ＭＢＯＳマネージャは、受信されたパケットの一様な「逆再パッケージング」を実行することができ、その結果、アプリケーション・レイヤは、オフロード・セッションから選択されるパケットが、アプリケーション・レイヤに対する配信のためのＩＰユニキャストとして「再パッケージ」され得るので、ＩＰマルチキャストであるＭＢＭＳストリームから選択されるパケットと、オフロード・セッションから選択されるパケットとについての受信されたパケット・ヘッダの間の違いを見ることはない。ＭＢＯＳマネージャは、複製された時間同期されたパケットの間で選択することができるので、本明細書において説明されるワイヤレス通信システムの実施形態は、同じマルチキャスト／ブロードキャスト・セッションに加入していることもある他のユーザ機器に影響を与えることなく、障害物を置かれたエリアの中への、また障害物を置かれたエリアの外側へのマルチキャスト／ブロードキャスト・セッションのシームレスな遷移をサポートする。
【００１２】
図１は、いくつかの実施形態によるワイヤレス通信システム１００のブロック図である。例証された実施形態においては、アクセス・ポイント１０５を使用して、対応する地理的エリアまたはセルに対してブロードキャスト・サービスまたはマルチキャスト・サービスを提供しており、この地理的エリアまたはセルは、１つまたは複数のユーザ機器１１０を含むことができる。本明細書において使用されるように、用語「アクセス・ポイント」は、対応する地理的エリアの内部のユーザ機器１１０に対してワイヤレス接続性を提供するデバイスのことを意味するように理解されるであろう。用語「アクセス・ポイント：」は、それゆえに、基地局と、基地局ルータと、ｅノードＢと、マクロセルと、マイクロセルと、フェムト・セルと、ピコセルと、他のタイプのデバイスとを包含することができる。例えば、アクセス・ポイント１０５は、３ＧＰＰ規格または他のセルラー方式通信規格に従って、ワイヤレス接続性を提供するｅノードＢとすることができる。コンテンツ・プロバイダ１１２は、最終的な伝送のためにアクセス・ポイント１０５に対してコンテンツを提供することができる。例えば、コンテンツ・プロバイダ１１２は、マルチキャスト／ブロードキャスト・セッションに加入しているユーザ機器１１０に対するマルチキャスト／ブロードキャスト・セッションの一部分としてアクセス・ポイント１０５に対してパケットを提供することができる。
【００１３】
建物１２０は、アクセス・ポイント１０５によってサービスされる地理的エリアの内部に位置していることもある。本明細書において考察されるように、建物１２０のドア、窓、壁などの障害物は、ユーザ機器１１０と、アクセス・ポイント１０５との間のチャネル損失をかなり増大させる可能性がある。例示の建物の侵入損失は、一般的におよそ１１〜２０  ｄＢの程度であり、また車の侵入損失は、一般的におよそ７  ｄＢの程度である。与えられた伝送電力では、侵入損失は、ブロードキャスト・サービスまたはマルチキャスト・サービスの品質を悪化させ、またはサービスが失われるようにさせる可能性がある。より大きなシステム・リンク割当量は、それゆえに、建物１２０の内部の特定のサービス品質を提供しながら、侵入損失を克服する必要があることもある。
【００１４】
屋内のアクセス・ポイント１２５は、建物１２０の内部に展開される可能性がある。アクセス・ポイントのいくつかの実施形態は、Ｗｉ−Ｆｉ規格、または他のワイヤレス通信規格に従って、ワイヤレス接続性を提供することができる。アクセス・ポイント１２５は、そのときには、ブロードバンド接続またはバックホール・リンクを経由してコンテンツ・プロバイダに物理的に、電磁的に、または通信するように結合されることもある。ブロードバンド接続のいくつかの実施形態は、ネットワーク１２７を経由してコンテンツ・プロバイダ１１２にアクセス・ポイント１２５を接続する有線のブロードバンド接続１２６として実施される。有線のブロードバンド接続１２６に加えて、または有線のブロードバンド接続１２６の代わりに実施され得るブロードバンド接続の他の実施形態は、例えば、建物１２０の屋外表面の上にアンテナ１３０を取り付けることにより、建物１２０の外側に展開されるアンテナ１３０を含むワイヤレス・ブロードバンド接続とすることができる。例えば、アクセス・ポイント１２５は、建物１２０の屋外から屋内へと通っているケーブルを使用して、アンテナ１３０に結合されることもある。別の例では、ワイヤレス・リンクは、屋内のアクセス・ポイント１２５と、屋外のアンテナ１３０との間に確立されることもある。アクセス・ポイント１２５のいくつかの実施形態は、代わりに、建物１２０の屋外に展開されることもあり、その結果、ワイヤレス・ブロードバンド接続は、アクセス・ポイント１２５に対して直接に形成される可能性がある。例えば、アクセス・ポイント１２５と、アンテナ１３０とは、単一のボックスの中で実施されることもあり、このボックスは、建物１２０の屋外で期待される環境条件に耐えるように強固にされることもある。ワイヤレス通信システムのいくつかの実施形態は、乗り物やアクセス・ポイント１２５などの他の障害物を含むことができ、また有線のブロードバンド接続またはワイヤレス・ブロードバンド接続は、本明細書において考察されるように、これらの障害物の中に、障害物の上に、または障害物の近くに展開されることもある。
【００１５】
ユーザ機器１１０（１）は、建物１２０の内部に位置しており、また基地局１０５からユーザ機器１１０（１）への信号経路は、それゆえに、建物１２０の中の壁、ドア、または窓によって覆い隠されることもある。覆い隠された基地局１０５を経由してコンテンツ・プロバイダ１１２からマルチキャスト／ブロードキャスト・サービスを受信する代わりに、ユーザ機器１１０（１）は、マルチキャスト／ブロードキャスト・セッションの一部分としてコンテンツ・プロバイダ１１２からパケットを受信するマルチキャスト／ブロードキャスト・オフロード・セッション（ＭＢＯＳ）アンカー１１４に対する有線またはワイヤレスのブロードバンド接続を使用して、アクセス・ポイント１２５を経由してマルチキャスト／ブロードキャスト・サービスを受信する要求をアクセス・ポイント１２５に対して送信することができる。本明細書において使用されるように、用語「マルチキャスト／ブロードキャスト・セッション」は、ブロードキャスト・サービスまたはマルチキャスト・サービスの伝送を搬送するために使用され得るセッションのことを意味するように理解されるべきである。マルチキャスト／ブロードキャスト・セッションの例は、それだけには限定されないが、ＭＢＭＳセッションまたはｅＭＢＭＳセッションを含んでいる。さらに、ブロードキャスト／マルチキャスト・セッションは、伝送が、使用可能なプログラミングと、個別のユーザによって行われる選択肢とに依存する可能性があるので、必ずしも、特定の任意の時刻にブロードキャスト・サービスまたはマルチキャスト・サービスのいずれかを搬送するとは限らない。マルチキャスト／ブロードキャスト・セッションは、ブロードキャストＩＰアドレスまたはマルチキャストＩＰアドレスを含むことができるＩＰヘッダを実施することができる。ＩＰヘッダは、マルチキャスト・サポーティング・ルータによって読み取られることもあり、またＩＰヘッダを使用して、インターネット・グループ管理プロトコル（ＩＧＭＰ：Ｉｎｔｅｒｎｅｔ  Ｇｒｏｕｐ  Ｍａｎａｇｅｍｅｎｔ  Ｐｒｏｔｏｃｏｌ）などのＩＰマルチキャスト・プロトコルに従ってマルチキャスト・パケットをダイレクトすることができる。マルチキャスト／ブロードキャスト・セッションのいくつかの実施形態はまた、ブロードキャスト／マルチキャストＭＡＣレイヤ媒体（例えば、ＬＴＥ  ｅＭＢＭＳ機器）、単一周波数ネットワーク（ＳＦＮ：ｓｉｎｇｌｅ  ｆｒｅｑｕｅｎｃｙ  ｎｅｔｗｏｒｋｓ）、マルチキャスト・チャネルの割付け、またはブロードキャスト／マルチキャストＭＡＣアドレスを使用したＷｉ−Ｆｉ／イーサネットを使用することもできる。
【００１６】
アクセス・ポイント１２５は、ユーザ機器１１０（１）からの要求に応じて、オフロード・セッションを確立して、コンテンツ・プロバイダ１１２からの要求されたブロードキャスト／マルチキャスト・セッションに関連するパケットを受信することができる。本明細書において使用されるように、用語「オフロード・セッション」は、例えば、有線のブロードバンド接続１２６、１２７、またはワイヤレス・ブロードバンド接続１１５を使用して、マルチキャスト／ブロードキャスト・セッションからブロードバンド接続の上でアクセス・ポイント１２５へとコンテンツを搬送するセッションを示すために使用される。例えば、ブロードキャスト／マルチキャスト・パケットのコピーは、アクセス・ポイント１２５に対してブロードバンド接続の上で、ユニキャストされ、マルチキャストされ、またはトンネルされることもある。ワイヤレス・ブロードバンド接続１１５を使用するときに、オフロード・セッションは、アンテナ１３０と、アクセス・ポイント１０５との間の信号の１つまたは複数の経路が、実質的に建物１２０の外側にあることを示す屋外セッションと称されることもある。本開示の恩恵を受ける当業者なら、熟語「実質的に外側にある」が、セッションの信号の１つまたは複数の経路が、建物１２０または他の構造物のほとんど外側に留まっていることを意味することを意図していることを理解すべきである。しかしながら、セッションの経路（単数または複数）のうちの１つまたは複数の部分は、たとえその経路が建物１２０の「実質的に外側にある」としても、他の構造物または環境の障害物を通過することができる。これらの部分は、経路（単数または複数）の全体の長さに比べて小さいことが期待される。
【００１７】
アクセス・ポイント１２５はまた、ユーザ機器１１０（１）との配信セッション１４０（１）を確立することもできる。配信セッション１４０（１）は、アクセス・ポイント１２５と、ユーザ機器１１０（１）との間の信号経路が、実質的に建物１２０の内部にあることを示す屋内セッションと称されることもある。配信セッション１４０（１）のいくつかの実施形態は、Ｗｉ−Ｆｉの上の伝送制御プロトコル（ＴＣＰ：ｔｒａｎｓｍｉｓｓｉｏｎ  ｃｏｎｔｒｏｌ  ｐｒｏｔｏｃｏｌ）、またはユーザ・データグラム・プロトコル（ＵＤＰ：ｕｓｅｒ  ｄａｔａｇｒａｍ  ｐｒｏｔｏｃｏｌ）を有するＩＰユニキャストを使用してコンテンツ・ストリームからユーザ機器１１０（１）へとパケットをユニキャストするように構成されていることもある。配信セッション１４０（１）のいくつかの実施形態は、コンテンツ・ストリームからユーザ機器１１０（１）ならびに他のユーザ機器へとパケットをマルチキャストするように構成されていることもある。配信セッション１４０（１）の他の実施形態は、それだけには限定されないが、有線のイーサネット・アクセス、フェムト・セル、ピコセル、基地局ルータ、または他のタイプの有線もしくはワイヤレスのアクセスを含めて、他のアクセス媒体の上で搬送されることもある。いくつかの実施形態においては、配信セッション１４０（１）は、複数のユーザ機器１１０とともに確立されることもあり、またコンテンツは、それゆえに、アクセス・ポイント１２５からユーザ機器１１０へとマルチキャストされることもある。本明細書において考察されるように、ユーザ機器１１０（１）と、アクセス・ポイント１２５との中のセッション・マネージャ（図１には示されていない）を使用して、ネゴシエートし、認証し、時間同期させ、または屋内配信セッション１４０（１）と、屋外オフロード・セッションとを単一のマルチメディア・アプリケーション・セッションへと「一緒に結び付ける」ことができる。
【００１８】
矢印１４２によって示されるように、ユーザ機器１１０（１）が、建物１２０の外側へと移動する場合、ユーザ機器１１０（１）の中で実施されるＭＢＯＳマネージャ（図示されず）は、エア・インターフェースの上でアクセス・ポイント１０５に対して送信されるマルチキャスト／ブロードキャスト・チャネルを結合させ、または調整し、また配信セッション１４０（１）とマルチキャスト／ブロードキャスト・チャネルとを使用してマルチキャスト／ブロードキャスト・パケットを同時に受信することを開始することができる。ユーザ機器１１０（１）の中のロジックは、パケット選択を実行して、配信セッション１４０（１）と、マルチキャスト／ブロードキャスト・チャネルによって搬送されるマルチキャスト／ブロードキャスト・セッションとの間でシームレスなメイク・ビフォア・ブレークをサポートすることができる。ひとたび屋外ルートが確立された後に、配信セッション１４０（１）は、破棄されることもある。ユーザ機器１１０（１）が、建物１１０の内部のマルチキャスト／ブロードキャスト・セッションを受信するただ１つのデバイスであった場合、オフロード・セッションはまた、破棄される可能性もある。
【００１９】
いくつかの実施形態において、ユーザ機器１１０（２）は、屋外ロケーションから屋内ロケーションへと既存のブロードキャスト・サービスまたはマルチキャスト・サービスを遷移させることができる。例証された実施形態においては、ユーザ機器１１０（２）は、セルの中に位置しており、またアクセス・ポイント１０５によって提供されるブロードキャスト／マルチキャスト・サービスに加入している。ユーザ機器１１０（２）は、それゆえに、破線１３５によって示されるように、ブロードキャスト／マルチキャスト・セッションに参加しており、またはそれに合わせて調整されている。ユーザ機器１１０（２）は、マルチキャスト／ブロードキャスト・セッションを使用して、ブロードキャスト伝送またはマルチキャスト伝送をアクティブに受信している可能性があり、あるいは代わりに、ユーザ機器１１０（２）は、将来のブロードキャスト伝送またはマルチキャスト伝送に加入しており、また後続のスケジュールされた時刻にブロードキャスト伝送またはマルチキャスト伝送を受信するためのブロードキャスト／マルチキャスト・セッションを確立していることもある。ユーザ機器１１０（２）は、エア・インターフェース１３５の上でブロードキャスト伝送またはマルチキャスト伝送を受信しながら、またはスケジュールされたブロードキャスト伝送またはマルチキャスト伝送を受信することに先立ってモバイルとすることができる。ユーザは、アクセス・ポイント１０５からユーザ機器１１０（２）へと信号経路に沿って妨害し、または介在する建物、乗り物、または他の構造物へとユーザ機器１１０（２）を搬送することができる。図１に示されるユーザ機器１１０（２）は、建物１２０の屋外にあるロケーションから建物１２０の屋内にあるロケーションへと移動する。しかしながら、本明細書において説明される技法のいくつかの実施形態は、基地局１０５によって送信される信号を覆い隠す可能性のある乗り物または他の構造物へと移動するユーザ機器１１０にも等しく適用される。
【００２０】
アクセス・ポイント１２５は、ユーザ機器１１０（２）が、アクセス・ポイント１２５の近くに移動すること、または建物１２０に入ることに応じて、ＭＢＯＳアンカー１１４を用いてオフロード・セッションを確立することができる。ユーザ機器１１０（２）のいくつかの実施形態は、アクセス・ポイント１２５によって送信されるパイロット信号などの信号に関連する信号強度、またはブロードキャスト・チャネルに関連する受信信号強度インジケータ（ＲＳＳＩ：ｒｅｃｅｉｖｅｄ  ｓｉｇｎａｌ  ｓｔｒｅｎｇｔｈ  ｉｎｄｉｃａｔｏｒ）、パケット損失、遅延、ビデオ・セッション特有の分析データ、ユーザ機器１１０（２）のロケーション、アクセス・ポイント１２５に対するハンドオフをトリガすべきかどうかを決定すべき、ユーザ機器１１０（２）とアクセス・ポイント１２５との間の距離など、他のパラメータを監視することができる。ユーザ機器１１０（２）が、しきい値を超過した信号強度などのハンドオフ条件が満たされていることを決定するときに、ユーザ機器１１０（２）は、ハンドオフをトリガし、またアクセス・ポイント１２５にアタッチすることができる。いくつかの実施形態においては、ネットワークの中の他のエンティティは、ユーザ機器１１０（２）のハンドオフをトリガすべきかどうかを決定することができる。例えば、ネットワークの中の３ＧＰＰアクセス・ネットワーク発見選択機能を使用して、ハンドオフをトリガすることができる。ユーザ機器１１０（２）は、次いで、アクセス・ポイント１２５に対して、ユーザ機器１１０（２）が、エア・インターフェース１３５の上で搬送されるマルチキャスト／ブロードキャスト・セッションに関連する進行中のマルチキャスト・サービスまたはスケジュールされたマルチキャスト・サービスを有していることを信号で伝え、またアクセス・ポイント１２５と、ＭＢＯＳアンカー１１４との間のオフロード・セッションの確立をトリガすることができる。アクセス・ポイント１２５は、オフロード・セッションの確立をトリガすることに応じて、ユーザ機器１１０（２）との配信セッション１４０（２）を確立することもできる。
【００２１】
本明細書において考察されるように、ユーザ機器１１０（２）と、アクセス・ポイント１２５との中のセッション・マネージャ（図１には示されていない）を使用して、ネゴシエートし、認証し、時間同期させ、または配信セッション１４０（２）と、オフロード・セッションとを単一のマルチメディア・アプリケーション・セッションへと「一緒に結び付ける」ことができる。いくつかの実施形態においては、セッション・マネージャは、マルチキャスト／ブロードキャスト・オフロード・セッション（ＭＢＯＳ）アンカー・ロジックと、ＭＢＯＳゲートウェイと、ＭＢＯＳ管理ロジックとを含むことができる。
【００２２】
ネットワーク側で実施されるＭＢＯＳアンカー・ロジックは、アクセス・ポイント１２５またはユーザ機器１１０において実施され得る、ＭＢＯＳゲートウェイに対するオフロード・セッションを確立することができる。例えば、オフロード・セッションは、ＭＢＯＳアンカー・ロジックと、ＭＢＯＳゲートウェイとの間で確立されるトンネルを含むことができる。例えば、トンネルは、ユニキャスト外部ＩＰヘッダを使用して確立されることもある。別の例では、「マルチキャスト・トンネル」を使用して、複数のホームまたはオフィスへの同時のオフロードを可能にすることができる。マルチキャスト・トンネルは、ＭＢＯＳアンカーが、例えば、元のパケットをマルチキャスト・ヘッダへと包み込むことにより、有線のブロードバンドの上でマルチキャスト・トンネル・セッションを開始するときに、確立されることもある。次いで、ＭＢＯＳゲートウェイは、例えば、ＩＧＭＰまたはＩＰｖ６のマルチキャスト・リスナー発見（ＭＬＤ：Ｍｕｌｔｉｃａｓｔ  Ｌｉｓｔｅｎｅｒ  Ｄｉｓｃｏｖｅｒｙ）を使用して、マルチキャスト・トンネル・セッションに参加することができる。
【００２３】
トンネルのエンドポイントは、ＭＢＯＳアンカー・ロジックと、ＭＢＯＳゲートウェイとのアドレス（ＩＰアドレスなど）によって規定されることもある。トンネルに沿って送信されるパケットは、エンドポイントのアドレスを含むヘッダにおいてカプセル化されることもある。カプセル化されたパケットは、暗号化されることもあり、その結果、トンネルの認証されたエンドポイントだけが、カプセル化されたパケットの中の情報を暗号解読することができる。次いで、ＭＢＯＳゲートウェイは、トンネルを経由してマルチキャスト／ブロードキャスト・セッションに関連するマルチキャスト／ブロードキャスト・ストリームを受信し、またユーザ機器１１０の中で実施されるＭＢＯＳ管理ロジックに対してマルチキャスト／ブロードキャスト・ストリームを提供することができる。ＭＢＯＳアンカー・ロジックは、アクセス・ポイント１０５を経由してユーザ機器１１０に対してマルチキャスト／ブロードキャスト・ストリームを提供することと同時に、トンネルを確立することができる。このようにして、ＭＢＯＳアンカー・ロジックと、ＭＢＯＳゲートウェイと、ＭＢＯＳ管理ロジックとを使用して、本明細書においてさらに説明されるように、アクセス・ポイント１０５からアクセス・ポイント１２５へとマルチキャスト／ブロードキャスト・セッションのシームレスなメイク・ビフォア・ブレーク遷移を調整することができる。
【００２４】
図２は、いくつかの実施形態による、シームレスなメイク・ビフォア・ブレーク・セッション転送をサポートするワイヤレス通信システム２００のブロック図である。ワイヤレス通信システム２００のいくつかの実施形態は、１つまたは複数のユーザ機器２１０に対するワイヤレス接続を提供するように構成され得る、ｅノードＢ（ｅＮＢ）２０５などのアクセス・ポイントを含んでいる。ｅＮＢ  ２０５のいくつかの実施形態は、１つまたは複数のｅＭＢＭＳユーザ・サービスについての機能強化されたＭＢＭＳ（ｅＭＢＭＳ）ベアラを送信することができる。ワイヤレス通信システム２００はまた、多数のホーム（屋内）に位置するｅＮＢからコア・ネットワークへと戻してトラフィックを集約することができるホームｅノードＢゲートウェイ２１２を含むこともできる。例えば、ｅノードＢゲートウェイ２１２は、制御プレーン（例えば、ＭＭＥ  ２２５とｈｅＮＢとの間のＳ１−ＭＭＥ接続）のための集信装置として使用されることもあり、またユーザ・プレーンＳ１−Ｕをオプションとして搬送することもでき、あるいはＳ１−Ｕは、サービング・ゲートウェイ（Ｓ−ＧＷ：ｓｅｒｖｉｎｇ  ｇａｔｅｗａｙ）と、１つまたは複数のＨｅＮＢとの間の有線の二次チャネルなど、別の論理チャネルの上で搬送されることもある。
【００２５】
図２に示されるワイヤレス通信システム２００は、ブロードキャストまたはマルチキャストのユーザ・サービスおよび配信を開始するための機能を提供するブロードキャスト・マルチキャスト・サービス・センタ（ＢＭＳＣ：ｂｒｏａｄｃａｓｔ  ｍｕｌｔｉｃａｓｔ  ｓｅｒｖｉｃｅ  ｃｅｎｔｅｒ）２１５を含んでいる。ＢＭＳＣ  ２１５のいくつかの実施形態は、ｅＭＢＭＳユーザ・サービスのプロビジョニングおよび配信のための機能を提供し、またＢＭＳＣ  ２１５は、コンテンツ・プロバイダｅＭＢＭＳ伝送のためのエントリ・ポイントとすることができる。ＢＭＳＣ  ２１５のいくつかの実施形態を使用して、公衆陸上モバイル・ネットワーク（ＰＬＭＮ：ｐｕｂｌｉｃ  ｌａｎｄ  ｍｏｂｉｌｅ  ｎｅｔｗｏｒｋ）の内部のｅＭＢＭＳベアラ・サービスを認可し、また開始し、またｅＭＢＭＳ伝送をスケジュールし、また配信することができる。
【００２６】
ワイヤレス通信システム２００はまた、ユーザ機器２１０に対してブロードキャスト・サービスまたはマルチキャスト・サービスを送信している可能性があるおのおのの基地局またはｅＮＢ  ２０５に対してパケットをブロードキャストし、またはマルチキャストすることができるＭＢＭＳゲートウェイを含んでいる。ゲートウェイ２２０のいくつかの実施形態は、サービスを送信している可能性がある各ｅＮＢ  ２０５に対してＭＢＭＳベアラ・データについて送信するための、またはブロードキャストするための役割を担うことができる。ＭＢＭＳ  ＧＷ  ２２０は、ｅＮＢ  ２０５に対してＭＢＭＳユーザ・データを転送する手段としてＩＰマルチキャストを使用することができる。例えば、ＭＢＭＳゲートウェイ２２０は、インターネット・プロトコル（ＩＰ）マルチキャスティングを使用して、マルチキャスト・ブロードキャスト単一周波数ネットワーク（ＭＢ−ＳＦＮ：ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）エリア（ｅＮＢ  ２１０を含む）において、各ｅＮＢに対してマルチキャスト・パケットを送信することができる。ＭＢＭＳゲートウェイ２２０はまた、マルチキャスト・サービスのためのヘッダ圧縮または他のオペレーションを実行することもできる。ＭＢＭＳ  ＧＷ  ２２０はまた、１つまたは複数のモビリティ管理エンティティを経由してＥ−ＵＴＲＡＮに向かうＭＢＭＳセッション制御を実行する。
【００２７】
図２に示されるワイヤレス通信システム２００は、ＭＢＭＳセッション制御機能を提供し、またＥ−ＵＴＲＡＮとブロードキャストだけの機能（ＢＭＳＣおよびＭＢＭＳ−ＧＷ）を接続するモビリティ管理エンティティ（ＭＭＥ：ｍｏｂｉｌｉｔｙ  ｍａｎａｇｅｍｅｎｔ  ｅｎｔｉｔｙ）２２５を含んでいる。ＭＭＥ  ２２５のいくつかの実施形態は、ＬＴＥアクセス・ネットワークについての制御ノードとすることができ、またユーザ機器２１０についてのアイドル・モードのトラッキングとページングとのための役割を担うことができる。ＭＭＥ  ２２５はまた、ベアラのアクティブ化／非アクティブ化プロセスに関与する可能性もあり、また初期アタッチにおいて、またコア・ネットワーク（ＣＮ）ノード再配置を伴うＬＴＥ内ハンドオーバのときに、ユーザ機器２１０についてのサービング・ゲートウェイ（図２には示されていない）を選択するための役割を担うことができる。ＭＭＥ  ２２５は、ユーザ機器２１０を認証するための役割を担うこともできる。
【００２８】
マルチ・セル（またはマルチキャスト）調整エンティティ（ＭＣＥ：ｍｕｌｔｉ−ｃｅｌｌ  ｃｏｏｒｄｉｎａｔｉｏｎ  ｅｎｔｉｔｙ）２３０は、ＭＢ−ＳＦＮエリアの中ですべてのセルに接続されることもある。ＭＣＥ  ２３０のいくつかの実施形態は、アドミッション制御機能を提供し、またＭＢ−ＳＦＮエリアにおいてｅＮＢについての無線リソース割付けを調整することができる。ＭＣＥ  ２３０は、ＭＢＭＳセッション制御に関与している可能性があり、またｅＮＢ  ２０５を含むＭＢ−ＳＦＮエリアの内部でｅＮＢによって使用される無線リソースを割り付けることができる。ＭＣＥ  ２３０はまた、それゆえに、同じリソース・ブロックが、与えられたＭＢ−ＳＦＮエリアのすべてのｅＮＢを通して与えられたサービスのために割り付けられることを保証することができる。ＭＣＥ  ２３０はまた、ｅＮＢ  ２０５を含む複数のｅＮＢにおいてＬ２／Ｌ３レイヤを構成する情報を提供することと同様に、マルチキャスト制御またはデータ・ブロードキャストのためにＭＢ−ＳＦＮサブフレームを構成することもできる。ＭＣＥ  ２３０のいくつかの実施形態はまた、ｅＮＢのオペレーションを調整することもでき、その結果、すべてのｅＮＢは、時間同期化されるようにして同じＭＢＭＳデータを送信する。
【００２９】
いくつかの実施形態においては、ｅＮＢ  ２０５と、ホームｅＮＢゲートウェイ２１２とは、３ＧＰＰ規格によって規定されるＭ１インターフェースなどのインターフェース２３１によってＭＢＭＳゲートウェイ２２０に接続される。ｅＮＢ  ２０５と、ホームｅＮＢゲートウェイ２１２とはまた、３ＧＰＰ規格によって規定されるＭ２インターフェースなどのインターフェース２３２によってＭＣＥ  ２３０に接続されることもある。ＭＭＥ  ２２５は、３ＧＰＰ規格によって規定されるＳｍインターフェースなどのインターフェース２３３によってＭＢＭＳゲートウェイ２２０に接続されることもある。ＭＢＭＳゲートウェイ２２０は、３ＧＰＰ規格によって規定されるＳＧ−ｍｂインターフェースやＳＧ−ｉｍｂインターフェースなどのインターフェース２３４によってＢＭＳＣ  ２１５に接続されることもある。
【００３０】
コンテンツ・プロバイダ２３５を使用して、例えば、ユーザ機器２１０に対してブロードキャストされ、マルチキャストされ、またはユニキャストされることにより、ユーザ機器２１０に対して送信されることになっているコンテンツを提供することができる。例えば、コンテンツ・プロバイダ２３５は、１つまたは複数のユーザ機器２１０とともに確立される対応するマルチキャスト／ブロードキャスト・セッションを使用してマルチキャスト／ブロードキャスト・ストリームを提供することができる。ワイヤレス通信システム２００のいくつかの実施形態は、システム２００の内部でコンテンツ・プロバイダ２３５を実施し、またワイヤレス通信システム２００の他の実施形態は、ワイヤレス通信システム２００の外側で実施されるサード・パーティ・コンテンツ・プロバイダ２３５からコンテンツを受信することができる。
【００３１】
障害物２４０は、図２に示される基地局２０５と、ユーザ機器２１０との間に介在する。その結果として、本明細書において考察されるように、ｅＮＢ  ２０５とのエア・インターフェースの上で送信される信号の信号強度は、低下され、または悪化されることもある。例えば、本明細書において考察されるように、障害物２４０を通しての伝搬に起因した侵入損失は、障害物２４０が、建物の一部分である場合に、およそ１１〜２０  ｄＢの程度であり、あるいは障害物２４０が、自動車または他の乗り物の一部分である場合に、およそ７  ｄＢの程度である可能性がある。ユーザ機器２１０は、それゆえに、アクセス・ポイント２４５を経由してマルチキャスト／ブロードキャスト・セッションからパケットを受信することを選ぶことができる。アクセス・ポイント２４５のいくつかの実施形態は、有線のブロードバンド接続２６２の上でＭＢＯＳアンカー２６０にアクセス・ポイント２４５を接続する有線のブロードバンド・バックホール接続２５０を有する。代わりに、ワイヤレス・バックホール（図示されず）が、実施されることもある。アクセス・ポイント２４５は、Ｗｉ−Ｆｉ  ２５１、有線のイーサネット、フェムト・セルまたはホームｅノードＢ  ２５２を使用したＬＴＥを含む１つまたは複数のアクセス技術、あるいは他の有線技術またはワイヤレス技術を経由して、ユーザ機器２１０に対するワイヤレス接続を提供することができる。アクセス・ポイント２４５のいくつかの実施形態は、ＬＩＰＡ／ＳＩＰＴＯゲートウェイ２５３を実施するためのロジックを含むこともできる。ＬＩＰＡ／ＳＩＰＴＯゲートウェイ２５３を実施するための技法は、知られており、また明確にする利益のために、本明細書において詳細には考察されない。
【００３２】
ユーザ機器２１０のいくつかの実施形態は、ｅＮＢ  ２０５からエア・インターフェースの上で受信されるマルチキャスト／ブロードキャスト・セッションから、ＭＢＯＳアンカー２６０とＭＢＯＳゲートウェイ２６５との間のブロードバンド接続２６２の上で確立されるオフロード・セッションへとメイク・ビフォア・ブレーク・セッション転送をトリガすることができる。オフロード・セッションのいくつかの実施形態は、ユニキャスティングまたはマルチキャスティングのいずれかを使用して、マルチキャスト／ブロードキャスト・パケットのコピーを搬送している。オフロード・セッションは、専用のＩＰトンネルとして実施されることもあり、この場合には、トンネルＩＰヘッダは、マルチキャスト／ブロードキャスト・セッションから元のＩＰパケットに追加されることもある。他のタイプのトンネルが、いくつかの実施形態においては使用される可能性もある。マルチキャスト／ブロードキャスト・コンテンツは、オフロード・セッションのエンドポイントに対する配信を保証するために異なるヘッダで元のＩＰヘッダを置き換えることによって再パッケージ化される可能性もある。オフロード・セッションのいくつかの実施形態は、マルチキャスト／ブロードキャスト・コンテンツについてトンネルさせるために、または再パッケージ化させるために、転送制御プロトコル（ＴＣＰ）、ユーザ・データグラム・プロトコル（ＵＤＰ）、または他のＩＰ配信の方法を使用することができる。
【００３３】
アクセス・ポイント２４５と、ｅＮＢ  ２０５との間のオフロード・セッションに対するマルチキャスト／ブロードキャスト・セッションのシームレスなメイク・ビフォア・ブレーク転送は、アクセス・ポイント２４５の中で（図２に示されるように）、またはユーザ機器２１０の中で（図４に示されるように）実施され得る、ユーザ機器２１０と、ネットワーク側で実施されるＭＢＯＳアンカー・ロジック２６０と、ＭＢＯＳゲートウェイ・ロジック２６５とにおいて実施されるＭＢＯＳ管理ロジック２５５によって調整される。
【００３４】
ＭＢＯＳ管理ロジック２５５のいくつかの実施形態は、エンド・ユーザの経験品質メトリクスによって課される制約条件の影響を受けてシームレスなセッション転送を実行する。例えば、ＭＢＯＳ管理ロジック２５５は、マルチキャスト／ブロードキャスト・セッションからオフロード・セッションへのセッション遷移を実行することができ、その結果、伝送の中の中断は、アプリケーションに応じて、１０ミリ秒から３００ミリ秒の範囲の中の値よりも短くなる。ＭＢＯＳ管理ロジック２５５は、信号強度測定値、チャネル状態の測定値、あるいはユーザの経験品質またはワイヤレス・サービス・プロバイダ・ポリシーに関連した何らかの他のロジックに基づいて、アクセス・ポイント２４５と、ｅノードＢ  ２０５との間でのユーザ機器２１０のハンドオフをトリガすることができる可能性もある。ＭＢＯＳ管理ロジック２５５を使用して、メイク・ビフォア・ブレーク遷移中にアクセス・ポイント２４５と、ｅノードＢ  ２０５とによって提供される同時のマルチキャスト／ブロードキャスト・ストリームにおいてパケットの間で選択することもできる。
【００３５】
ＭＢＯＳアンカー・ロジック２６０のいくつかの実施形態を使用して、ネットワーク側の上のオフロード・セッションに対するマルチキャスト／ブロードキャスト・セッションのシームレスなメイク・ビフォア・ブレーク転送を制御する。ＭＢＯＳアンカー・ロジック２６０を使用して、コンテンツ・プロバイダ２３５から受信されるマルチキャスト／ブロードキャスト・ストリームの中のパケットを複製し、また示された対応するＭＢＭＳ機能を経由したｅＮＢ  ２０５に向かう複製されたパケットの１つのコピー（例えば、１つのストリーム）と、オフロード・セッションを使用した有線のブロードバンド接続２６２の上のアクセス・ポイント２４５に向かう複製されたパケットの別のコピー（例えば、別のストリーム）とを送信することができる。ＭＢＯＳアンカー・ロジック２６０は、２つのマルチキャスト／ブロードキャスト・ストリームを時間同期させることができ、その結果、異なるマルチキャスト／ブロードキャスト・ストリームの中のパケットは、ＭＢＯＳマネージャ２５５の中のバッファリング容量によって決定され得る時間ウィンドウの内部でＭＢＯＳマネージャ２５５において受信される。両方のストリームから受信されるパケットをバッファすることにより、ＭＢＯＳマネージャ２５５は、メイク・ビフォア・ブレーク転送中に異なるマルチキャスト／ブロードキャスト・ストリームの中で受信されるパケットの間で選択することができるようになる。ＭＢＯＳアンカー・ロジック２６０のいくつかの実施形態は、ワイヤレス・サービス・プロバイダ（ＷＳＰ：ｗｉｒｅｌｅｓｓ  ｓｅｒｖｉｃｅ  ｐｒｏｖｉｄｅｒ）ネットワークの内部に、または外側に位置していることができる。ＷＳＰネットワークの内部に位置しているときに、ＭＢＯＳアンカー・ロジック２６０は、オプションとして、ＷＳＰマルチキャスト／ブロードキャスト・コンテンツの準備、管理、または監視の機能と同じ位置に配置されることもある。ＷＳＰネットワークの外側に位置しているときには、ＭＢＯＳアンカー・ロジック２６０は、オプションとして、ビデオ・コンテンツ・プロバイダ機能、例えば、コンテンツ・プロバイダ２３５と同じ位置に配置されることもある。ＷＳＰネットワークの内部にＭＢＯＳアンカー・ロジック２６０を位置づけることは、いくつかの実施形態において、セッション遷移中にエンド・ユーザの経験品質を改善することができる。
【００３６】
ＭＢＯＳゲートウェイ・ロジック２６５のいくつかの実施形態を使用して、メイク・ビフォア・ブレーク転送の間に、また後に、有線のブロードバンド２６２の上でマルチキャスト／ブロードキャスト・ストリームを搬送するオフロード・セッションを終了させる。例えば、ＭＢＯＳアンカー２６０と、ＭＢＯＳゲートウェイ・ロジック２６５とは、登録プロセスまたはハンドシェイク・プロトコルを使用して、オフロード・セッションに関連するトンネル（例えば、ユニキャスト・トンネルまたはマルチキャスト・トンネル）を確立することができる。次いで、マルチキャスト／ブロードキャスト・ストリームの中のパケットは、ＭＢＯＳゲートウェイ・ロジック２６５に対してそれらのパケットをアドレス指定することにより、ＭＢＯＳゲートウェイ・ロジック２６５に対して送信されることもある。例えば、ＭＢＯＳアンカー・ロジック２６０は、ＭＢＯＳゲートウェイ２６５におけるトンネル・エンドポイントのアドレスを含むヘッダの中へパケットをカプセル化することができる。ＭＢＯＳゲートウェイ２６５のいくつかの実施形態は、本明細書において説明されるように、ユーザ機器のオフローディングをトリガするために使用され得る加入者トラッキング・メカニズムを実施することができる。
【００３７】
アクセス・ポイント２４５の中のＭＢＯＳゲートウェイ・ロジック２６５、または他のロジックは、エア・インターフェース２７０の上でユーザ機器２１０とのワイヤレス接続を確立することができる。次いで、配信セッションは、エア・インターフェース２７０の上に確立されることもある。オフロード・セッションを経由して受信されるパケットは、配信セッションを使用してワイヤレス接続の上でユーザ機器２１０に対して転送されることもある。配信セッションのいくつかの実施形態は、ユーザ機器２１０に対してパケットを送信するためにユニキャストすること、またはユーザ機器２１０と、他のユーザ機器（図示されず）とに対してパケットを送信するためにマルチキャストすることのいずれかを使用することができる。配信セッションは、本明細書において考察されるように、ＩＰトンネリングまたは他のタイプのトンネリングを使用することができる。配信セッションはまた、ＴＣＰセッションまたはＵＤＰセッションへの追加の再パッケージ化を実行することもできる。エア・インターフェース２７０のいくつかの実施形態は、Ｗｉ−ＦｉのＬＴＥフェムト・セルまたはホームｅＮＢ、ＬＩＰＡ／ＳＩＰＴＯ、あるいは３Ｇセルについての３ＧＰＰ規格に従って確立されることもある。
【００３８】
動作中に、ユーザ機器２１０が、屋外から、例えば、障害物２４０の背後の屋内へと遷移するときに、ユーザ機器２１０は、ｅＮＢ  ２０５を経由した屋外の「マクロ」ＬＴＥアクセスからアクセス・ポイント２４５の中で実施されるＷｉＦｉ／フェムトを経由した屋内アクセスへと切り替わる可能性がある。次いで、ＭＢＯＳ管理ロジック２５５は、ＭＢＯＳゲートウェイ・ロジック２６５に対して要求を送信して、ＭＢＯＳゲートウェイ・ロジック２６５と、ＭＢＯＳアンカー・ロジック２６０との間の有線のブロードバンド・アクセス２６２の上でメイク・ビフォア・ブレーク・オフロード・セッションの確立をトリガすることができる。その要求はまた、ＭＢＯＳゲートウェイ・ロジック２６５が、マルチキャスト／ブロードキャスト・セッションに参加すべきであることを示すこともできる。ユーザ機器２１０が、アクセス・ポイント２４５に関連するオフロード・セッションを経由してマルチキャスト／ブロードキャスト・セッションを受信している第１のユーザ機器である場合、ＭＢＯＳゲートウェイ・ロジック２６５は、アクセス・ポイント２４５をトリガして、例えば、マルチキャスト／ブロードキャスト・セッションに関連するＭＢ−ＳＦＮに参加することにより、マルチキャスト／ブロードキャスト・セッションに参加する。アクセス・ポイント２４５が、すでにマルチキャスト／ブロードキャスト・セッションに参加しており、またマルチキャスト／ブロードキャスト・セッションを受信している１つまたは複数の他のユーザ機器にすでにサービスしている場合、ＭＢＯＳ管理ロジック２５５は、マルチキャスト／ブロードキャスト・チャネルを搬送する対応するチャネルに合わせてユーザ機器２１０を調整する。
【００３９】
ひとたびオフロード・セッションが、確立され、またＭＢＯＳゲートウェイ・ロジック２６５が、マルチキャスト／ブロードキャスト・セッションに参加した後に、ＭＢＯＳアンカー・ロジック２６０は、ＭＢＯＳゲートウェイ・ロジック２６５に対してブロードバンド接続２５０の上で時間同期させられたブロードキャスト／マルチキャスト・セッション・コンテンツを送信することを開始する。ＭＢＯＳゲートウェイ・ロジック２６５は、トンネルを終了させ、またユーザ機器２１０に対してセッション・トラフィックをマルチキャストし、またはユニキャストすることができる。ＭＢＯＳ管理ロジック２５５は、アプリケーションの観点から、遷移がスムーズであることを保証する。例えば、オフロード・セッションを使用して、ＭＢＯＳアンカー２６０からＷｉ−Ｆｉをサポートする屋内アクセス・ポイント２４５へとマルチキャスト／ブロードキャスト・コンテンツをユニキャストすることができる。次いで、屋内アクセス・ポイント２４５は、Ｗｉ−Ｆｉを使用してユーザ機器２１０に対する配信セッションを確立することができる。別の例では、オフロード・セッションを使用して、ＬＩＰＡ／ＳＩＰＴＯゲートウェイを含む、ホームｅＮＢなどの屋内アクセス・ポイント２４５に対してパケットをユニキャストすることができる。次いで、屋内アクセス・ポイント２４５は、ＬＴＥを使用してユーザ機器２１０に対する配信セッションを確立することができる。さらに別の例では、アクセス・ポイント２４５は、有線のバックホール・インターフェース２６２の上でオフロード・セッションを使用して、ＭＢＭＳゲートウェイ２２０を伴う３ＧＰＰ  Ｍ１インターフェース２３１と、ＭＣＥ  ２２０を伴う３ＧＰＰ  Ｍ２インターフェース２３２とを確立することにより、マルチキャスト／ブロードキャスト・セッションに関連するＭＢ−ＳＦＮに動的に参加するホームｅＮＢまたはフェムト・セルとすることができる。さらに別の例では、オフロード・セッションは、アンカー・ポイント２４５が、ＬＴＥ  ｅＭＢＭＳを受信し、また次いでユーザ機器２１０に対して配信セッションの上の受信された情報を送信することを可能にする屋外アンテナ（図１に示されるアンテナ１３０など）を使用してアンカー・ポイント２４５とともに確立されることもある。屋外アンテナは、バス、列車、または自動車においては特に有用である可能性がある。
【００４０】
ユーザ機器２１０が、屋内から屋外へと遷移するときに、ユーザ機器２１０は、屋内アクセスから屋外ＬＴＥアクセスへと切り替わる。ＭＢＯＳ管理ロジック２５５は、ＵＥアプリケーション・セッションの観点からの遷移がシームレスであることを保証する。ＭＢＯＳゲートウェイ・ロジック２６５と、ＭＢＯＳアンカー・ロジック２６０との間のオフロード・セッションは、アクセス・ポイント２４５に関連するどのような他のユーザ機器もこのマルチキャスト・セッションを受信していない場合に、終了させられることもある。しかしながら、他のユーザ機器が、マルチキャスト／ブロードキャスト・セッションを受信している場合、オフロード・セッションは、ユーザ機器２１０が、ｅＮＢ  ２０５を経由してマルチキャスト／ブロードキャスト・セッションを受信することへと切り替わった後に保持されることもあり、その結果、マルチキャスト／ブロードキャスト・ストリームは、マルチキャスト／ブロードキャスト・セッションを受信している残りのユーザ機器に対する送信のためにＭＢＯＳゲートウェイ２６５に対して搬送される可能性がある。ワイヤレス通信システム２００の実施形態は、個人の家、アパートの建物、ショッピング・モール、交通のハブ、スポーツ複合施設などを含めて、広範囲の屋内環境において実施されることもある。
【００４１】
図３は、いくつかの実施形態に従って、メイク・ビフォア・ブレーク・オフロード・セッション転送中にコンテンツ・プロバイダ３００によって提供されるマルチキャスト／ブロードキャスト・ストリームからのパケットを搬送するための同時のマルチキャスト／ブロードキャスト・セッションとオフロード・セッションとを示すブロック図である。オフロード・セッションは、図２に関して本明細書において説明されるように、ＭＢＯＳアンカー３０５とＭＢＯＳゲートウェイ３１０との間ですでに確立されている。コンテンツ・プロバイダ３００は、マルチキャスト／ブロードキャスト・ストリームを生成し、またこのストリームをＭＢＯＳアンカー３０５に対して提供し、このＭＢＯＳアンカー３０５は、マルチキャスト／ブロードキャスト・ストリームの中のパケットを複製し、またオフロード・セッションを使用してＭＢＯＳゲートウェイ３１０と、ｅノードＢ  ３１５とに対して複製されたパケットのコピーを転送することができる。メイク・ビフォア・ブレーク遷移中に、ユーザ機器の中のＭＢＯＳ管理ロジック３２０は、ＭＢＯＳゲートウェイ３１０と、ｅノードＢ  ３１５とからそれぞれ２つのマルチキャスト／ブロードキャスト・ストリームについての複製されたパケットを受信することができる。２つのマルチキャスト／ブロードキャスト・ストリームが、時間同期させられるので、ＭＢＯＳ管理ロジック３２０は、いずれかのストリームからのパケットの間で選択して、それらのストリームのうちの一方におけるパケット損失を軽減し、またはパケットの再順序付けを実行し、またアプリケーション・レイヤ３２５に対して選択されたパケットを提供することができる。このようにして、遷移は、アプリケーション・レイヤ３２５の観点から、シームレスに見える。
【００４２】
図４は、いくつかの実施形態による、シームレスなメイク・ビフォア・ブレーク・セッション転送をサポートするワイヤレス通信システム４００のブロック図である。ワイヤレス通信システム４００の多数のコンポーネントは、図２における同じ参照番号を有するコンポーネントと同じ、または類似している。ワイヤレス通信システム４００は、アクセス・ポイント２４５の代わりに在庫があってすぐに入手可能なアクセス・ポイント４０５を使用することにより、図２に示されるワイヤレス通信システム２００とは異なる。在庫があってすぐに入手可能なアクセス・ポイント４０５は、ＭＢＯＳゲートウェイ２６５を含んではいない。その代わりに、ＭＢＯＳゲートウェイ４１０は、ユーザ機器４１５の中で実施される。ワイヤレス通信システム４００のいくつかの実施形態はまた、オプションとして、図２に示されるホームｅＮＢゲートウェイ２１２を省略することもできる。
【００４３】
動作中に、ユーザ機器４１５が、屋外から、例えば、障害物２４０の背後の屋内へと遷移するときに、ユーザ機器４１５は、ｅＮＢ  ２０５を経由した屋外の「マクロ」ＬＴＥアクセスから、在庫があってすぐに入手可能なアクセス・ポイント４０５の中に実施されるＷｉＦｉ  ２５１を経由した屋内アクセスへと切り替わることができる。次いで、ＭＢＯＳ管理ロジック２５５は、ＭＢＯＳゲートウェイ・ロジック４１０に対して要求を送信して、マルチキャスト／ブロードキャスト・セッションからＭＢＯＳゲートウェイ・ロジック４１０と、ＭＢＯＳアンカー・ロジック２６０との間で確立されるオフロード・セッションへと、メイク・ビフォア・ブレーク・セッション転送をトリガすることができる。ひとたびオフロード・セッションが、確立された後に、ＭＢＯＳアンカー・ロジック２６０は、オフロード・セッションを使用してＭＢＯＳゲートウェイ・ロジック４１０に対してブロードバンド接続２５０の上で時間同期させられたブロードキャスト／マルチキャスト・セッション・コンテンツを送信することを開始する。例えば、在庫があってすぐに入手可能なアクセス・ポイント４０５は、ＭＢＯＳゲートウェイ・ロジック４１０に対してトンネルを使用してエア・インターフェース２７０の上でマルチキャスト／ブロードキャスト・ストリームをユニキャストすることができる。ＭＢＯＳゲートウェイ・ロジック４１０は、トンネルを終了させ、また次いでユーザ機器４１５に対してセッション・トラフィックを搬送することができる。ＭＢＯＳ管理ロジック２５５は、アプリケーションの観点から遷移がスムーズであることを保証する。
【００４４】
ユーザ機器４１５が、屋内から屋外へと遷移するときに、ユーザ機器４１５は、屋内アクセスから屋外ＬＴＥアクセスへと切り替わる。ＭＢＯＳ管理ロジック２５５は、ＵＥアプリケーション・セッションの観点からの遷移が、シームレスであることを保証する。ＭＢＯＳゲートウェイ・ロジック４１０と、ＭＢＯＳアンカー・ロジック２６０との間のオフロード・セッションは、どのような他の屋内ユーザ機器も、オフロード・セッションに参加していない場合に、終了させられることもある。ワイヤレス通信システム２００の実施形態は、家の所有者が、在庫があってすぐに入手可能なアクセス・ポイント４０５を使用するホーム環境によく適している可能性がある。
【００４５】
図５は、いくつかの実施形態による、マルチキャスト／ブロードキャスト・セッションのシームレスなメイク・ビフォア・ブレーク遷移をサポートするワイヤレス通信システム５００のブロック図である。ワイヤレス通信システム５００の多数のコンポーネントは、図２において同じ参照番号を有するコンポーネントと同じ、または類似している。ワイヤレス通信システム５００は、アクセス・ポイント２４５の中のＬＩＰＡ／ＳＩＰＴＯゲートウェイ２５３を使用して、マルチキャスト／ブロードキャスト・セッションをオフロードすることにより、図２に示されるワイヤレス通信システム２００とは異なる。
【００４６】
動作中に、ユーザ機器２１０が、屋外から、例えば、障害物２４０の背後の屋内へと遷移するときに、ユーザ機器２１０は、ｅＮＢ  ２０５を経由した屋外「マクロ」ＬＴＥアクセスから、アクセス・ポイント２４５の中で実施されるＬＩＰＡ／ＳＩＰＴＯゲートウェイを利用したＷｉＦｉ／フェムト・セルまたはホームｅノードＢを経由した屋内アクセスへと切り替わることができ、またマルチキャスト／ブロードキャスト・セッションは、ｅＮＢ  ２０５からアクセス・ポイント２４５の中のＬＩＰＡ／ＳＩＰＴＯゲートウェイ２５３へとオフロードされることもある。次いで、ＭＢＯＳ管理ロジック２５５は、ＭＢＯＳゲートウェイ・ロジック２６５に対して要求を送信して、ＭＢＯＳゲートウェイ・ロジック２６５と、ＭＢＯＳアンカー・ロジック２６０との間のメイク・ビフォア・ブレーク・トンネル確立をトリガすることができる。ＭＢＯＳゲートウェイ・ロジック２６５は、ＭＢＯＳアンカー・ロジック２６０に対するユニキャスト・トンネルを確立し、次いでこのＭＢＯＳアンカー・ロジック２６０は、ＭＢＯＳゲートウェイ・ロジック２６５に対するマルチキャスト／ブロードキャスト・ストリームをユニキャストすることができる。次いでアクセス・ポイント２４５は、ＬＩＰＡ／ＳＩＰＴＯゲートウェイ２５３を利用し、またユーザ機器２１０に対してオフロードされたストリームをユニキャストし、またはユーザ機器２１０を含む複数のユーザ機器に対してオフロードされたストリームをマルチキャストすることができる。
【００４７】
ユーザ機器２１０が、屋内から屋外へと遷移するときに、ユーザ機器２１０は、屋内アクセスから屋外ＬＴＥアクセスへと切り替わる。ＭＢＯＳ管理ロジック２５５は、ＵＥアプリケーション・セッションの観点からの遷移が、シームレスであることを保証する。ＬＩＰＡ／ＳＩＰＴＯゲートウェイ２５３と、ＭＢＯＳアンカー・ロジック２６０との間のオフロード・セッションは、アクセス・ポイント２４５に関連するどのような他のユーザ機器も、このマルチキャスト・セッションを受信していない場合に、終了させられることもある。しかしながら、他のユーザ機器が、マルチキャスト／ブロードキャスト・セッションを受信している場合、オフロード・セッションは、ユーザ機器２１０が、ｅＮＢ  ２０５を経由してマルチキャスト／ブロードキャスト・セッションを受信することに切り替わった後に保持されることもあり、その結果、マルチキャスト／ブロードキャスト・ストリームは、マルチキャスト／ブロードキャスト・セッションを受信している残りのユーザ機器に対する送信のためにＬＩＰＡ／ＳＩＰＴＯゲートウェイ２５３に対して搬送される可能性がある。ワイヤレス通信システム２００の実施形態は、個人の家、アパートの建物、ショッピング・モール、交通のハブ、スポーツ複合施設などを含めて、広範囲の屋内環境において実施されることもある。
【００４８】
図６は、いくつかの実施形態による、シームレスなメイク・ビフォア・ブレーク・セッション転送のための方法６００の流れ図である。図２に示されるユーザ機器２１０などのユーザ機器は、第１のアクセス・ポイントから、マルチキャスト／ブロードキャスト・セッションに関連するマルチキャスト／ブロードキャスト・ストリームを受信しており、または受信するようにスケジュールされる。ブロック６０５において、ユーザ機器は、第１のアクセス・ポイントから第２のアクセス・ポイントへとハンドオフする。例えば、ユーザ機器は、ユーザ機器によって生成されるハンドオフ・トリガに応じて、またはユーザ機器が、Ｗｉ−Ｆｉアクセス・ポイントによってサービスされる障害物を置かれたエリアへと移動することに応じてネットワークの中で、ｅノードＢからＷｉ−Ｆｉアクセス・ポイントへとハンドオフすることができる。ハンドオフは、ユーザ機器の中で実施されるネットワーク・エンティティ、またはＭＢＯＳ管理ロジックによってトリガされることもある。ブロック６１０において、ＭＢＯＳ管理ロジックは、ＭＢＯＳゲートウェイ・ロジックに対して要求を送信することにより、オフロード・セッションの確立をトリガし、この要求は、本明細書において考察されるように、ユーザ機器において、または第２のアクセス・ポイントにおいて実施されることもある。ブロック６１５において、ネットワーク側の上のＭＢＯＳゲートウェイ・ロジックと、ＭＢＯＳアンカー・ロジックとは、オフロード・セッションを確立し、このオフロード・セッションは、マルチキャスト／ブロードキャスト・ストリームを搬送するために使用され得るトンネルを確立することを含むことができる。
【００４９】
ブロック６２０において、オフロード・セッションは、確立されている。ＭＢＯＳアンカー・ロジックは、マルチキャスト／ブロードキャスト・ストリームからのパケットを複製し、またそれらをオフロード・セッションを経由してＭＢＯＳゲートウェイ・ロジックに対して転送することができる。例えば、ＭＢＯＳアンカー・ロジックは、ＭＢＯＳゲートウェイ・ロジックが、トンネルの終了ポイントであることを示すアドレスを含むヘッダの中でパケットの１つのコピーをカプセル化することができる。ブロック６２５において、アクセス・ポイントは、アクセス・ポイントと、ユーザ機器との間で確立される配信セッションを使用して、ユーザ機器に対してオフロード・セッションを経由して受信されるパケットを送信することができる。次いで、ＭＢＯＳ管理ロジックは、配信セッションを経由してｅノードＢと、ＭＢＯＳゲートウェイ・ロジックとからマルチキャスト／ブロードキャスト・ストリームの中のパケットのコピーを受信することができる。ブロック６３０において、ＭＢＯＳ管理ロジックは、同時のストリームの中で受信されるパケットのコピーのうちの１つを選択し、またこれをアプリケーション・レイヤに対して転送する。ＭＢＯＳ管理ロジックのいくつかの実施形態は、同時のストリームの中で受信されるパケットの再パッケージ化を実行することができ、その結果、アプリケーション・レイヤは、異なるストリームに関連するパケットの間で区別することができなくなる。次いで、ＭＢＯＳ管理ロジックは、ＭＢＯＳゲートウェイ・ロジックを伴うマルチキャスト／ブロードキャスト・セッションが、確立されており（例えば、ＭＢＯＳゲートウェイ・ロジックからの選択された数のパケットを成功裏に受信することに応じて）、またｅノードＢとのマルチキャスト／ブロードキャスト・セッションを保持することは、もはや必要ではないことを決定することができる。ブロック６３５において、ＭＢＯＳ管理ロジックは、第１のアクセス・ポイントに対するマルチキャスト／ブロードキャスト・セッションを破棄して、メイク・ビフォア・ブレーク遷移を完了する。
【００５０】
図７は、いくつかの実施形態による、ユーザ機器の中のＭＢＯＳ管理ロジックと、ワイヤレス通信システムの中のＭＢＯＳアンカー・ロジックとの間の通信を終了させるための方法７００の流れ図である。最初に、ユーザ機器は、本明細書において考察されるように、ＭＢＯＳアンカー・ロジックと、ＭＢＯＳゲートウェイ・ロジックとの間のオフロード・セッションを使用して、ＭＢＯＳゲートウェイ・ロジックを経由してＭＢＯＳアンカー・ロジックからのマルチキャスト／ブロードキャスト・ストリームからのパケットのコピーを受信している。ブロック７０５において、ユーザ機器は、例えば、ユーザ機器によって生成されるハンドオフ・トリガに応じて、またはユーザ機器が第２のアクセス・ポイントによってサービスされる障害物を置かれたエリアを離れることに応じてユーザ機器の中で、第２のアクセス・ポイントから第１のアクセス・ポイントへとハンドオフする。ブロック７１０において、ユーザ機器の中のＭＢＯＳ管理ロジックは、第１のアクセス・ポイントによって、エア・インターフェースの上で提供されるマルチキャスト／ブロードキャスト・チャネルに合わせてユーザ機器を調整する。ＭＢＯＳ管理ロジックは、それゆえに、マルチキャスト／ブロードキャスト・チャネルを使用して、パケットを受信することを開始することができ、またブロック７１５において、ＭＢＯＳ管理ロジックは、第１のアクセス・ポイントからユーザ機器のアプリケーション・レイヤへと受信されるマルチキャスト／ブロードキャスト・ストリームの中でパケットを転送することを開始する。次いで、ＭＢＯＳゲートウェイ・ロジックは、決定ブロック７２０において、それ以上のユーザ機器が、依然として、オフロード・セッションを使用して、第２のアクセス・ポイントからのマルチキャスト／ブロードキャスト・ストリームからのパケットのコピーを受信しているかどうかを決定する。他のユーザ機器が、依然として、第２のアクセス・ポイントからパケットを受信している場合、ＭＢＯＳアンカー・ロジックは、ブロック７２５において、オフロード・セッションを経由してＭＢＯＳゲートウェイ・ロジックに対してパケットを転送し続ける。他のユーザ機器が、第２のアクセス・ポイントからパケットを受信していない場合、ＭＢＯＳアンカー・ロジックと、ＭＢＯＳゲートウェイとは、ブロック７３０においてオフロード・セッションを破棄することができる。
【００５１】
いくつかの実施形態においては、上記で説明される技法のある種の態様が、ソフトウェアを実行する処理システムの１つまたは複数のプロセッサによって実施される可能性がある。ソフトウェアは、非一時的なコンピュータ読取り可能ストレージ媒体の上に記憶されるか、またはその他の方法で有形に実施される実行可能な命令の１つまたは複数の組を備えている。ソフトウェアは、１つまたは複数のプロセッサによって実行されるときに、上記で説明される技法の１つまたは複数の態様を実行するように、１つまたは複数のプロセッサを操作する命令とある種のデータとを含むことができる。非一時的な、コンピュータ読取り可能ストレージ媒体は、それだけには限定されないが、光媒体（例えば、コンパクト・ディスク（ＣＤ：ｃｏｍｐａｃｔ  ｄｉｓｃ）、デジタル多用途ディスク（ＤＶＤ：ｄｉｇｉｔａｌ  ｖｅｒｓａｔｉｌｅ  ｄｉｓｃ）、ブルーレイ・ディスク）、磁気媒体（例えば、フロッピー・ディスク、磁気テープ、または磁気ハード・ドライブ）、揮発性メモリ（例えば、ランダム・アクセス・メモリ（ＲＡＭ：ｒａｎｄｏｍ  ａｃｃｅｓｓ  ｍｅｍｏｒｙ）またはキャッシュ）、不揮発性メモリ（例えば、リード・オンリー・メモリ（ＲＯＭ：ｒｅａｄ−ｏｎｌｙ  ｍｅｍｏｒｙ）またはフラッシュ・メモリ）、あるいは微小電気機械システム（ＭＥＭＳ）−ベースのストレージ媒体を含むことができる。コンピュータ読取り可能ストレージ媒体は、コンピューティング・システムの中に埋め込まれ（例えば、システムＲＡＭまたはＲＯＭ）、コンピューティング・システムに対して固定するように取り付けられ（例えば、磁気ハード・ドライブ）、コンピューティング・システムに対して着脱可能に取り付けられ（例えば、光ディスクまたはユニバーサル・シリアル・バス（ＵＳＢ：Ｕｎｉｖｅｒｓａｌ  Ｓｅｒｉａｌ  Ｂｕｓ）−ベースのフラッシュ・メモリ）、あるいは有線のまたはワイヤレスのネットワークを経由してコンピュータ・システムに結合される（例えば、ネットワーク・アクセス可能ストレージ（ＮＡＳ：ｎｅｔｗｏｒｋ  ａｃｃｅｓｓｉｂｌｅ  ｓｔｏｒａｇｅ）こともある。非一時的なコンピュータ読取り可能ストレージ媒体の上に記憶される実行可能な命令は、ソース・コード、アセンブリ言語コード、オブジェクト・コード、または１つまたは複数のプロセッサによって解釈され、またはそれ以外の方法で実行可能である他の命令フォーマットの形とすることができる。
【００５２】
一般的な説明の中の、上記で説明される、必ずしもすべてのアクティビティまたは要素が必要とされるとは限らないこと、特定のアクティビティ、またはデバイスの一部分が、必要とされないこともあること、および１つまたは複数のさらなるアクティビティが、実行されることもあり、または説明されるこれらの要素に加えて、要素が含まれることもあることに注意すべきである。さらに、アクティビティがリストアップされる順序は、必ずしもそれらが実行される順序であるとは限らない。また、それらの概念は、特定の実施形態を参照して説明されている。しかしながら、当業者なら、様々な修正形態と、変更形態とが、添付の特許請求の範囲において説明されるような本開示の範囲を逸脱することなく、行われ得ることを理解する。それに応じて、明細書と図面とは、限定的な意味ではなくて、例証的な意味で考えられるべきであり、またすべてのそのような修正形態は、本開示の範囲内に含まれることを意図している。
【００５３】
利益と、他の利点と、問題に対する問題解決手法とが、特定の実施形態に関連して、上記で説明されている。しかしながら、利益と、利点と、問題に対する問題解決手法と、任意の利益、利点、または問題解決手法が、起こり、あるいはより顕著になるようにさせることができる任意の特徴（単数または複数）とは、任意の請求項またはすべての請求項の絶対必要な、必要とされる、または本質的な特徴として解釈されるべきではない。さらに、上記で開示される特定の実施形態は、開示された主題が、本明細書における教示の恩恵を受ける当業者にとっては明らかな、異なるが同等の方法で修正され、また実行される可能性があるので、例示的なものにすぎない。添付の特許請求の範囲の中で説明される以外に、本明細書において示される構造物または設計の詳細に対しては、どのような限定も意図してはいない。それゆえに、上記で開示される特定の実施形態は、変更され、または修正されることもあり、またすべてのそのような変更形態は、開示された主題の範囲内にあるものと考えられることは、明らかである。それに応じて、本明細書において求められる保護は、添付の特許請求の範囲の中で説明されるようなものである。
【図２】
0006027238.tif 000003
【図３】
0006027238.tif 000004
【図４】
0006027238.tif 000005
【図５】
0006027238.tif 000006
【図６】
0006027238.tif 000007
【図７】
0006027238.tif 000008
【図１】
0006027238.tif 000009